(57)【要約】【課題】ユーザが有料の印刷を行なう場合に、予算に応じて、対話的に印刷料金及び印刷条件を決定することができる画像形成装置を提供する。【解決手段】画像形成装置は、印刷条件に応じた基本料金を記憶する記憶部１１４と、予算額の入力を受付けるタッチパネル１２４と、原稿を読取って画像データを生成する原稿読取部１１６と、画像データを記録紙に印刷した場合の、記録紙に対する印刷領域の面積割合である印字率を算出し、画像データを所定の印刷条件で印刷する場合の基本料金と、印字率とに基づいて印刷料金を算出する制御部１１２と、算出された印刷料金と予算額とに基づいて、所定の印刷条件のうち変更可能な条件を候補として表示する表示パネル１２２とを含み、制御部１１２は、候補の中から選択された印刷条件にしたがって、所定の印刷条件を変更する。これにより、ユーザは印刷料金が負担にならない印刷条件を容易に決定することができる。【選択図】図２
2013222063.tif 000002
【特許請求の範囲】
【請求項１】
有料で記録紙に画像を形成する画像形成装置であって、
画像形成条件に応じた基本料金を記憶する記憶手段と、
画像形成料金の合計金額に関する予算額の入力を受付ける入力手段と、
原稿を読取って画像データを生成する原稿読取手段と、
前記画像データを所定の記録紙に画像形成した場合の、前記所定の記録紙に対する画像形成領域の面積割合である印字率を算出する印字率算出手段と、
前記画像データを所定の画像形成条件で画像形成する場合の基本料金と、前記印字率とに基づいて画像形成料金を算出する料金算出手段と、
前記料金算出手段により算出された前記画像形成料金と前記予算額とに基づいて、前記所定の画像形成条件のうち変更可能な条件を候補として提示する条件提示手段と、
前記候補の中から選択された画像形成条件にしたがって、前記所定の画像形成条件を変更する手段とを含むことを特徴とする画像形成装置。
【請求項２】
前記予算額と、前記料金算出手段によって算出された画像形成料金とを比較する比較手段と、
前記候補の中から選択された画像形成条件にしたがって前記画像データを画像形成した場合に予想される画像形成結果を表すプレビュー画像を生成するプレビュー画像生成手段と、
前記料金算出手段によって算出された、前記候補の中から選択された画像形成条件にしたがって画像形成した場合の画像形成料金を、前記候補の中から選択された画像形成条件又は前記プレビュー画像と共に表示する表示手段とをさらに含み、
前記条件提示手段は、前記比較手段による比較結果に応じて、前記料金算出手段によって算出される画像形成料金が、前記予算額よりも所定値だけ大きい金額を超えないようにするために、前記所定の画像形成条件のうち変更可能な条件を前記候補として提示することを特徴とする請求項１に記載の画像形成装置。
【請求項３】
前記原稿読取手段により生成された前記画像データを表示する手段と、
ユーザの操作を受けて、表示された前記画像データ上の領域を特定する操作手段と、
前記操作手段により特定された前記領域に関する画像形成条件を変更する部分的変更手段と、
前記部分的変更手段によって変更された画像形成条件で、前記画像データを画像形成した場合の画像形成料金を計算する更新料金算出手段と、
前記部分的変更手段によって変更された画像形成条件で、前記画像データを画像形成した場合に予想される画像形成結果を表すプレビュー画像を生成する画像生成手段と、
前記プレビュー画像と計算された前記画像形成料金とを表示する手段とをさらに含むことを特徴とする請求項１に記載の画像形成装置。
【請求項４】
特定された前記領域に関する変更後の画像形成条件は、前記画像データのうち特定された前記領域のみを画像形成する条件、又は、前記画像データのうち特定された前記領域以外の領域を画像形成する条件であることを特徴とする請求項３に記載の画像形成装置。
【請求項５】
特定された前記領域に関する変更後の画像形成条件は、カラー画像である領域をモノクロ画像として画像形成する条件であることを特徴とする請求項３又は４に記載の画像形成装置。
【請求項６】
特定された前記領域に関する画像形成条件の変更は、前記領域を前記記録紙上に画像形成する大きさの変更であることを特徴とする請求項３から５の何れか１項に記載の画像形成装置。
【請求項７】
前記画像データを画像形成する記録紙の種類を変更する指示を受付ける手段をさらに含むことを特徴とする請求項３から６の何れか１項に記載の画像形成装置。
【請求項８】
複数ページの原稿のページ毎に、前記操作手段はユーザの操作を受付けて領域を特定し、前記部分的変更手段は特定された前記領域に関する画像形成条件を変更し、前記更新料金算出手段は画像形成料金を計算し、前記画像生成手段はプレビュー画像を生成することを特徴とする請求項３から７の何れか１項に記載の画像形成装置。
【発明の詳細な説明】
【技術分野】
【０００１】
本発明は、ユーザが有料の印刷を行なう場合に、ユーザの予算に応じて、対話的に画像形成の料金及び条件を決定することができる画像形成装置に関する。
【背景技術】
【０００２】
近年、コンビニエンスストア等の公共空間に画像形成装置（代表的にはコピー機）が設置され、有料でコピーサービスが提供されている。コピーサービス以外に、可搬性メモリ等に記録された画像データのプリントサービス等も提供されている。また、画像形成装置の１種である複合機（ＭＦＰ（ＭｕｌｔｉＦｕｎｃｔｉｏｎ  Ｐｅｒｉｐｈｅｒａｌ））が設置されている場合には、コピーサービス及びプリントサービス以外に、ファクシミリサービス及びネットワーク対応のプリントサービス等も提供されている。
【０００３】
コンビニエンスストアに設置されたコピー機では、料金は１ページ当たりで設定されている。したがって、印字率（１ページ当たりの印字面積の割合）が小さい原稿をコピーする場合、消費するトナー量が少ないにもかかわらず、印字率が大きく消費するトナー量が多い原稿をコピーする場合と同じ料金を支払う必要がある。また、モノクロ文字が主体である原稿であっても、少しでもカラーの領域が含まれていると、カラーコピーを行なう必要があり、全面カラーの原稿をコピーした場合と同じ高額な料金を払う必要がある。このため、料金面で不満を感じるユーザは、カラー原稿であってもモノクロコピーを行なうことがある。
【０００４】
これを改善するために、下記特許文献１及び２には、コピーによって消費されるトナーの量を考慮してコピー料金を計算する画像形成装置が開示されている。これらの画像形成装置では、トナー消費量に基づいて計算された印刷料金を表示する。ユーザが、表示された印刷料金に満足しない場合には、画像形成条件（コピーモード及びコピー条件）を変更することができ、画像形成装置は、変更後の印刷条件で再度印刷料金を計算して表示する。
【先行技術文献】
【特許文献】
【０００５】
【特許文献１】特開平９−１３８６２１号公報
【特許文献２】特開２０００−１９９０６号公報
【発明の概要】
【発明が解決しようとする課題】
【０００６】
特許文献１及び２に記載された画像形成装置では、ユーザの料金面の要望を満たす条件でコピーを行なうことはできるが、ユーザにとって煩雑である問題がある。即ち、ユーザは、満足できる条件（例えばユーザが想定している予算額）に至るまでに何度も条件の変更を繰返することが必要となる。近年の画像形成装置は、変更できる画像形成条件が非常に多岐にわたるので、不慣れなユーザは混乱し、満足できる条件を見つけるまでに長い時間がかかる。場合によっては満足できる条件に至らない可能性もあり、ユーザにとって非常な負担となる問題がある。
【０００７】
したがって、本発明は、ユーザが有料の印刷を行なう場合に、ユーザの予算に応じて、対話的に画像形成の料金及び条件を決定することができる画像形成装置を提供することを目的とする。
【課題を解決するための手段】
【０００８】
上記の目的は、下記によって達成することができる。
【０００９】
即ち、本発明に係る画像形成装置は、有料で記録紙に画像を形成する画像形成装置である。画像形成装置は、画像形成条件に応じた基本料金を記憶する記憶部と、画像形成料金の合計金額に関する予算額の入力を受付ける入力部と、原稿を読取って画像データを生成する原稿読取部と、画像データを所定の記録紙に画像形成した場合の、所定の記録紙に対する画像形成領域の面積割合である印字率を算出する印字率算出部と、画像データを所定の画像形成条件で画像形成する場合の基本料金と、印字率とに基づいて画像形成料金を算出する料金算出部と、料金算出部により算出された画像形成料金と予算額とに基づいて、所定の画像形成条件のうち変更可能な条件を候補として提示する条件提示部と、候補の中から選択された画像形成条件にしたがって、所定の画像形成条件を変更する変更部とを含む。
【００１０】
好ましくは、画像形成装置は、予算額と、料金算出部によって算出された画像形成料金とを比較する比較部と、候補の中から選択された画像形成条件にしたがって画像データを画像形成した場合に予想される画像形成結果を表すプレビュー画像を生成するプレビュー画像生成部と、料金算出部によって算出された、候補の中から選択された画像形成条件にしたがって画像形成した場合の画像形成料金を、候補の中から選択された画像形成条件又はプレビュー画像と共に表示する表示部とをさらに含み、条件提示部は、比較部による比較結果に応じて、料金算出部によって算出される画像形成料金が、予算額よりも所定値だけ大きい金額を超えないようにするために、所定の画像形成条件のうち変更可能な条件を候補として提示する。
【００１１】
より好ましくは、画像形成装置は、原稿読取部により生成された画像データを表示する表示部と、ユーザの操作を受けて、表示された画像データ上の領域を特定する操作部と、操作部により特定された領域に関する画像形成条件を変更する部分的変更部と、部分的変更部によって変更された画像形成条件で、画像データを画像形成した場合の画像形成料金を計算する更新料金算出部と、部分的変更部によって変更された画像形成条件で、画像データを画像形成した場合に予想される画像形成結果を表すプレビュー画像を生成する画像生成部と、プレビュー画像と計算された画像形成料金とを表示する表示部とをさらに含む。
【００１２】
さらに好ましくは、特定された領域に関する変更後の画像形成条件は、画像データのうち特定された領域のみを画像形成する条件、又は、画像データのうち特定された領域以外の領域を画像形成する条件である。
【００１３】
好ましくは、特定された領域に関する変更後の画像形成条件は、カラー画像である領域をモノクロ画像として画像形成する条件である。
【００１４】
より好ましくは、特定された領域に関する画像形成条件の変更は、特定された領域を記録紙上に画像形成する大きさの変更である。
【００１５】
さらに好ましくは、画像形成装置は、画像データを画像形成する記録紙の種類を変更する指示を受付ける。
【００１６】
好ましくは、複数ページの原稿のページ毎に、操作部はユーザの操作を受付けて領域を特定し、部分的変更部は特定された領域に関する画像形成条件を変更し、更新料金算出部は画像形成料金を計算し、画像生成部はプレビュー画像を生成する。
【発明の効果】
【００１７】
本発明によれば、ユーザが予算額を指定すれば、予算内又は予算に近い金額でコピーすることができる画像形成条件（以下、印刷条件ともいう）が提示されるので、ユーザは、印刷料金が負担にならない印刷条件を容易に決定することができる。
【００１８】
印刷料金を、印刷条件、又は変更された印刷条件による予想される印刷結果と共に、ユーザに提示することにより、ユーザは納得して印刷を指示することができる。
【００１９】
ユーザに、原稿の部分領域に関する印刷条件を設定することができるようにすることにより、ユーザにとって印刷料金が負担にならないようにすることができる。例えば、必要な領域のみ印刷し、あえて印刷する必要がない領域を印刷しないように、ユーザが設定できるようにすることにより、印刷料金を低減することができる。また、カラーである領域をモノクロで印刷できるようにすることにより、印刷料金を低減することができる。また、ユーザが所定領域の印刷サイズを設定できるようにすることにより、仮に料金が高くなっても、カラー画像の領域を大きく印刷したい場合に対応することができる。カラー画像の領域は小さく印刷してもよい場合には、印刷料金を低減することができる。
【００２０】
複数ページの原稿に対して一律に印刷条件を設定するのではなく、ページ毎に印刷条件を設定することにより、ユーザは、印刷料金を考慮して適切な印刷を実行することができる。
【図面の簡単な説明】
【００２１】
【図１】本発明の実施の形態に係る画像形成装置を示す正面図である。
【図２】図１に示した画像形成装置を構成する本体装置の内部構成を示すブロック図である。
【図３】図１に示した画像形成装置を構成する拡張装置の内部構成を示すブロック図である。
【図４】本体装置の操作部の外観を示す平面図である。
【図５】図１に示した画像形成装置において実行される、ユーザの指示を受けて対話的に印刷料金及び印刷条件を決定するプログラムの制御構成を示すフローチャートである。
【図６】図５に示したフローチャートにおいて印刷条件確認処理のプログラムの制御構成を示すフローチャートである。
【図７】図５に示したフローチャートにおいて印刷領域設定処理のプログラムの制御構成を示すフローチャートである。
【図８】コピー対象の原稿を示す平面図である。
【図９】印刷料金の表示画面の例を示す図である。
【図１０】印刷の指示画面の例を示す図である。
【図１１】モード選択画面の例を示す図である。
【図１２】お奨めモードにおいて予算の入力の要否を選択する画面の例を示す図である。
【図１３】予算の入力画面の例を示す図である。
【図１４】印刷条件の確認及び変更の指示画面の例を示す図である。
【図１５】予算範囲内の印刷条件を表示及び選択するサブ画面が表示された状態を示す図である。
【図１６】プレビュー画像を表示するサブ画面が表示された状態を示す図である。
【図１７】料金を表示するサブ画面が表示された状態を示す図である。
【図１８】予算の再入力又はユーザ要望モードの選択画面の例を示す図である。
【図１９】ユーザ要望モードの画面の例を示す図である。
【図２０】ユーザ要望モードにおける印刷領域の設定画面の例を示す図である。
【図２１】ユーザ要望モードにおける用紙の変更画面の例を示す図である。
【図２２】ユーザ要望モードにおけるカラー及びモノクロ領域の設定画面の例を示す図である。
【図２３】ユーザ要望モードにおける文字及び画像の大きさの変更画面の例を示す図である。
【図２４】ユーザ要望モードにおける文字及び画像の大きさの変更画面の上に、拡大率を入力するサブ画面が表示された状態を示す図である。
【図２５】図１４とは別の、印刷条件の確認及び変更の指示画面の例を示す図である。
【図２６】図２５の画面の上に料金を表示するサブ画面が表示された状態を示す図である。
【発明を実施するための形態】
【００２２】
以下の実施の形態では、同一の部品には同一の参照番号を付してある。それらの名称及び機能も同一である。したがって、それらについての詳細な説明は繰返さない。
【００２３】
図１を参照して、本発明の実施の形態に係る画像形成装置１００は、本体装置１１０及び拡張装置２００を備えている。本体装置１１０及び拡張装置２００は相互に接続されており、データ（制御情報を含む）を交換可能である。接続方法は、シリアル接続（ＵＳＢ等）又は通信ネットワーク接続（有線又は無線）等、任意である。
【００２４】
本体装置１１０は、操作部１２０を介してユーザの指示を受け、その指示に応じた処理（画像形成等）を実行する。指示された処理が拡張装置２００によって実行されるべき場合には、本体装置１１０は、処理に必要なデータを拡張装置２００に送信する。拡張装置２００は、受信したデータを用いて、ユーザの指示を実行する。画像形成（以下、印刷ともいう）の指示は、印刷条件に応じて、本体装置１１０又は拡張装置２００によって実行される。本体装置１１０は、印刷結果を排紙トレイ１４０に排出する。拡張装置２００は、印刷結果を写真排出部２４０に排出する。印刷は有料であり、拡張装置２００は、ユーザによって、硬貨投入部２４２及び紙幣投入部２４４から投入される金を受付け、印刷料金との差額を釣銭排出部２４６に排出する。
【００２５】
図２及び図３を参照して、本体装置１１０及び拡張装置２００の構成を説明する。本体装置１１０及び拡張装置２００は、類似する構成要素を含んでいるので、それらを区別するために便宜上「第１」〜「第３」を付した用語を使用する。
【００２６】
図２を参照して、本体装置１１０は、第１制御部１１２、第１記憶部１１４、原稿読取部１１６、第１画像形成部１１８、操作部１２０、及び第１通信部１２６を備えている。さらに、本体装置１１０は、これらが接続される第１バス１２８を備えている。各部間のデータ交換（制御情報を含む）は、第１バス１２８を介して行なわれる。本体装置１１０は、これら以外に、画像形成装置として機能するために、各部に電力を供給する電源等の必要な構成要素を備えている。
【００２７】
第１制御部１１２は、例えば、ＣＰＵ（Ｃｅｎｔｒａｌ  Ｐｒｏｃｅｓｓｉｎｇ  Ｕｎｉｔ）である。第１記憶部１１４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＨＤＤ（Ｈａｒｄ  Ｄｉｓｋ  Ｄｒｉｖｅ）等の記憶装置を含む。ＲＯＭは、不揮発性記憶装置であり、本体装置１１０の動作を制御するのに必要なプログラム及びデータを記憶している。ＨＤＤは、書換可能な不揮発性記憶装置であり、画像データ等を記憶する。ＲＡＭは、書換可能な揮発性記憶装置である。第１制御部１１２は、ＲＯＭ及びＨＤＤから、所定のプログラム及び所定のデータをＲＡＭに読出して、ＲＡＭの一部を作業エリアとして利用してプログラムを実行する。画像データに対する画像処理等もＲＡＭ上で実行される。第１制御部１１２は、ＲＯＭに記憶されたプログラムにしたがって、本体装置１１０全体を制御し、本体装置１１０のコピー機能を実現する。
【００２８】
原稿読取部１１６は、原稿を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは、例えば第１記憶部１１４のＲＡＭに一時的に記憶される。
【００２９】
第１画像形成部１１８は、読取った画像データに対して種々の画像処理が実行されて生成された画像データを、本体装置１１０内部の給紙部（図示せず）から供給される記録紙に印刷する。本体装置１１０の給紙部には、例えばＢ５、Ｂ４、Ａ４及びＡ３の記録紙が収容されている。
【００３０】
操作部１２０は、液晶パネル等で構成された表示パネル１２２と、表示パネル１２２の上に配置され、タッチされた位置を検出するタッチパネル１２４とを備えている。操作部１２０には、ハードウェアキーが配置されていてもよい。図４を参照して、操作部１２０の表示パネル１２２には、コピー機能の基本画面が表示されている。操作部１２０には、表示パネル１２２外の領域１５０に、ハードウェアキーとして、ホームキー１５２、電源をオン／オフするための電源キー１５４、本体装置１１０を省電力状態に遷移させる又は省電力状態から通常状態に復帰させるための節電キー１５６、及び、電源オンの場合に点灯するＬＥＤランプ１５８が配置されている。表示パネル１２２に表示される画面は、画像形成装置１００の状態に応じて種々変化（画面遷移）する。ホームキー１５２は、表示パネル１２２に表示されている画面を、基本画面に戻すためのキーである。即ち、ホームキー１５２が押されると、表示パネル１２２に基本画面が表示される。
【００３１】
操作部１２０は、ユーザによる本体装置１１０に対する指示等の入力を受付ける。具体的には、表示パネル１２２に表示される画面（画像）は、第１制御部１１２の制御を受けて画面生成部（図示せず）によって生成される。ユーザは、表示パネル１２２に表示される画面によって、画像形成装置１００の状態及びジョブの処理状況等の確認を行なう。ユーザは、表示パネル１２２にアイコン等の形式で表示されたキーを、表示パネル１２２に重ねられたタッチパネル１２４上で選択する（タッチパネル１２４上の該当部分にタッチする）ことによって、画像形成装置１００の機能設定及び動作指示等を行なうことができる。
【００３２】
第１制御部１１２は、操作部１２０に設けられたタッチパネル１２４及びハードウェアキーに対するユーザの操作を監視すると共に、表示パネル１２２に画像形成装置１００の状態に関する情報等の、ユーザに通知すべき情報等を表示する。また、第１制御部１１２は、ユーザの操作を受けて、ユーザの指示が、拡張装置２００によって実行される必要がある場合には、拡張装置２００が処理を実行するために必要なデータを、第１通信部１２６を介して送信する。必要なデータには、拡張装置２００に対する指示コマンド、画像データ、テキストデータ、及び数値データ等が含まれる。
【００３３】
図３を参照して、拡張装置２００は、第２制御部２０２、第２記憶部２０４、第２画像形成部２０６、第３画像形成部２０８、第２通信部２１０、硬貨処理部２１２、及び紙幣処理部２１４を備えている。さらに、拡張装置２００は、これらが接続される第２バス２１６を備えている。各部間のデータ（制御情報を含む）交換は、第２バス２１６を介して行なわれる。
【００３４】
第２制御部２０２は、例えばＣＰＵである。第２記憶部２０４は、第１記憶部１１４と同様にＲＯＭ、ＲＡＭ、及びＨＤＤ等の記憶装置を含む。ＲＯＭは、拡張装置２００の動作を制御するのに必要なプログラム及びデータを記憶している。第２制御部２０２は、ＲＯＭ及びＨＤＤから、所定のプログラム及び所定のデータをＲＡＭに読出して、ＲＡＭの一部を作業エリアとして利用してプログラムを実行する。画像データに対する画像処理等もＲＡＭ上で実行される。第２制御部２０２は、ＲＯＭに記憶されたプログラムにしたがって、拡張装置２００全体を制御し、拡張装置２００の各機能を実現する。
【００３５】
第２通信部２１０は、第２制御部２０２の制御を受けて、本体装置１１０の第１通信部１２６と通信を行なう。
【００３６】
第２画像形成部２０６は、第２制御部２０２の制御を受けて、本体装置１１０から受信した画像データを、拡張装置２００内部の給紙部（図示せず）から供給される記録紙に印刷する。印刷された記録紙は、写真排出部２４０（図１参照）から排出される。第２画像形成部２０６は、例えば写真印刷に適した昇華型プリンタである。拡張装置２００の給紙部には、一般に写真プリントに使用されるサイズの記録紙として、例えばＬ判サイズ（８９×１２７ｍｍ）の記録紙が収容されている。
【００３７】
第３画像形成部２０８は、第２制御部２０２の制御を受けて、本体装置１１０から受信した料金に関するデータを、所定の記録紙に印刷して排出する。第３画像形成部２０８は、例えば感熱式プリンタである。第３画像形成部２０８は、例えば、ロール状に巻かれた感熱紙を内蔵しており、引出した感熱紙の上に、本体装置１１０から受信した情報（テキスト）を印刷する。これによって、拡張装置２００は領収書を発行することができる。
【００３８】
硬貨処理部２１２は、第２制御部２０２の制御を受けて、硬貨投入部２４２から投入された硬貨を、種類毎に分類して所定の格納部に搬送して収容し、投入された金額を算出する。算出結果（投入金額）は第２制御部２０２に伝送される。また、硬貨処理部２１２は、第２制御部２０２から指示された種類の硬貨を指示された数量、格納部から釣銭排出部２４６に搬送して排出する。
【００３９】
紙幣処理部２１４は、第２制御部２０２の制御を受けて、紙幣投入部２４４から投入された紙幣を、種類毎に分類して所定の格納部に搬送して収容し、投入された金額を算出する。算出結果（投入金額）は第２制御部２０２に伝送される。また、紙幣処理部２１４は、第２制御部２０２から指示された種類の紙幣を指示された枚数、格納部から釣銭排出部２４６に搬送して排出する。
【００４０】
このように、硬貨処理部２１２及び紙幣処理部２１４により、後述するように、ユーザがコピーを実行するときに投入された金額から、コピー料金を差引いた残額が、釣銭排出部２４６から返却される。
【００４１】
以下、画像形成装置１００が搭載しているコピー機能について簡単に説明する。本体装置１１０の原稿読取部１１６によって読取られた原稿の画像データが、本体装置１１０の第１画像形成部１１８又は拡張装置２００の第２画像形成部２０６から複写物として出力される。
【００４２】
原稿読取部１１６に装備されたＣＣＤにより、読取位置にセットされた原稿の画像を電子的に読取ることができる。読取られた画像データは、第１記憶部１１４のＲＡＭ上に出力データ（印刷用データ）として完成される。
【００４３】
本体装置１１０の第１画像形成部１１８で印刷する場合には、ＲＡＭ上の画像データは、画像形成のタイミングに合わせて、第１画像形成部１１８へと送信される。記録紙は、第１給紙部からピックアップローラによって引出され、複数の搬送用ローラによって、第１画像形成部１１８まで搬送される。第１画像形成部１１８では、帯電された感光体ドラムを、入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写させる。その後、記録紙は加熱及び加圧され（これにより記録紙に画像が定着する）、排紙トレイ１４０に排出される。
【００４４】
写真原稿等の高精細画像は、ユーザの指示を受けて拡張装置２００の第２画像形成部２０６（昇華型プリンタ）で印刷される。第２画像形成部２０６で印刷する場合には、本体装置１１０の第１記憶部１１４のＲＡＭ上の画像データは、第１通信部１２６を介して、拡張装置２００に送信される。第２制御部２０２は、受信した画像データを第２記憶部２０４のＲＡＭに記憶する。その後、第２制御部２０２は、ＲＡＭから画像データを読出し、第２画像形成部２０６を制御して、上記したように記録紙（例えばＬ判サイズ）に画像形成を実行し、写真排出部２４０から排出する。
【００４５】
以下、図５〜図７を参照して、画像形成装置１００が、ユーザの指示を受けて対話的に印刷料金及び印刷条件を決定するプログラムの制御構造に関して具体的に説明する。画像形成装置１００は、操作部１２０の表示パネル１２２に図４に示した基本画面を表示した状態で、ユーザの操作を待受けている状態であるとする。基本画面には、画像形成装置１００がコピーを実行可能な状態であること、及びコピーに関する説明を含むメッセージ４００が表示されている。
【００４６】
ステップ３００において、第１制御部１１２は、スキャンの実行が指示されたか否かを判定する。具体的には、第１制御部１１２は、スタートキー４０２がタッチされたか否かを判定する。ユーザが原稿読取部１１６に原稿をセットし、スタートキー４０２にタッチすると、スキャンの実行が指示されたと判定され、制御はステップ３０２に移行する。そうでなければ、ステップ３００が繰返される。
【００４７】
ステップ３０２において、第１制御部１１２は、原稿読取部１１６を制御して、上記したように原稿をスキャンし、画像データを第１記憶部１１４のＲＡＭに記憶する。ここでは、自動原稿送り装置に図８に示した３枚の原稿がセットされた後、スタートキー４０２がタッチされたとする。原稿は、全てＡ４サイズであるとする。原稿の第１ページ４０４は、モノクロ文字のみを含む。原稿の第２ページ４０６は、モノクロ文字（左右方向の罫線領域）とカラー写真（斜めの斜線領域）とを含む。原稿の第３ページ４０８は、カラー文字のみを含む。ＲＡＭには、これら３枚の原稿に対応する画像データが記憶される。
【００４８】
ステップ３０４において、第１制御部１１２は、読取った原稿の各ページの印字率を計算する。「印字率」とは、画像形成可能領域に対する画像形成される領域（トナー又はインクが付着される領域）の面積割合（例えば百分率）である。
【００４９】
輝度が“０”の画素は印刷されないので、例えば、記録紙の１面に原稿１ページが印刷されると仮定して、原稿の各ページに関して、輝度が“０”でない画素数の、画像全体の画素数（原稿１ページの画素数）に対する割合を求め、その値を印字率とする。例えば、原稿１ページの画像数がＭであり、輝度が“０”でない画素数がｋである場合、この原稿１ページが１枚の記録紙の１面に印刷される場合、印字率ｐは、ｐ＝１００×ｋ／Ｍ（％）である。１ページに、色及び解像度に関して複数の領域に区分できる場合、各領域に関して印字率を計算する。例えば、図８に示した原稿に関しては、第１ページ４０４の印字率は５０％であり、第２ページ４０６の印字率はモノクロ文字部分が５０％、カラー写真部分が３０％（合計印字率は８０％）であり、第３ページ４０８の印字率は８０％であるとする。
【００５０】
１ページの原稿（画像データ）を、種類毎に複数の領域に区分する処理、及び、各領域がモノクロ領域であるかカラー領域であるかを判定する処理には、公知の画像処理を使用すればよい。また、各領域が、文字画像及び写真画像の何れであるかを判定するにも、公知の画像処理を使用すればよい。したがって、これらの画像処理に関する説明は繰返さない。
【００５１】
ステップ３０６において、第１制御部１１２は、ステップ３０２でスキャンした原稿を、初期設定された印刷条件（以下、デフォルトともいう）で印刷する場合の印刷料金を計算し、表示パネル１２２に表示する。印刷条件は、スキャンした原稿と同じサイズの記録紙を使用し、原稿１ページを１枚の記録紙の１面（片面印刷）に、原稿の色にしたがって印刷するという条件である。表示される画面の一例を図９に示す。画面４２０の領域４２２には、表形式で、各ページの原稿の種類及び料金、並びに、料金の合計金額が表示されている。各ページの料金は、１ページ当たり（印字率１００％）の料金（以下、単価ともいう）と印字率（％）とを乗算して得られる。モノクロ文字とカラー写真の単価が異なるので、第２ページ４０６に関しては、それぞれに関して料金が計算された結果が表示されている。画面４２０には、２つのキーが表示されており、キー４２４がタッチされた場合、後述するように印刷が開始される。キー４２６がタッチされた場合、後述するように印刷条件をデフォルトから変更する処理が実行される。
【００５２】
ステップ３０８において、第１制御部１１２は、印刷の指示を受けたか否かを判定する。具体的には、第１制御部１１２は、キー４２４及びキー４２６の何れかがタッチされるまで待受け、タッチされたと判定された場合、キー４２４がタッチされたか否かを判定する。キー４２４がタッチされたと判定された場合、制御はステップ３２０に移行する。そうでなければ、即ちキー４２６がタッチされたと判定された場合、制御はステップ３１０に移行する。
【００５３】
ステップ３２０において、第１制御部１１２は、金の投入を要求するメッセージを表示し、ステップ３０６で表示した合計金額以上の金が投入されたか否かを判定する。表示画面の一例を図１０に示す。画面４４０において、領域４４２には金の投入を要望するメッセージが表示され、その下にスタートキー４４４が表示されている。投入額の情報は、上記したように、拡張装置２００の第２制御部が、硬貨処理部２１２及び紙幣処理部２１４を制御して計算し、計算結果を、第２通信部２１０を介して本体装置１１０に送信される。本体装置１１０の第１制御部１１２は、第１通信部１２６を介して投入額の情報を取得し、印刷料金（ここでは６５円）以上の金額であるか否かを判定する。合計金額以上の金の投入があった場合、制御はステップ３２２に移行する。そうでなければ、ステップ３２０が繰返される。例えば、金が投入されたが、合計金額未満である状態では、第１制御部１１２は、ステップ３２０の処理を繰返す。
【００５４】
ステップ３２２において、第１制御部１１２は、印刷の開始を指示するキーがタッチされたか否かを判定する。具体的には、第１制御部１１２は、図１０のスタートキー４４４がタッチされたか否かを判定する。タッチされたと判定された場合、制御はステップ３２４に移行する。そうでなければ、ステップ３２２が繰返される。
【００５５】
ステップ３２４において、第１制御部１１２は、第１画像形成部１１８を制御して、ステップ３０２で読込んだ画像データの印刷を実行し、印刷を完了した後、拡張装置２００の第３画像形成部２０８に領収書を印刷させる。ステップ３２０で投入された金が合計金額を超えている場合、第１制御部１１２は、拡張装置２００に所定のコマンド及び返金額（投入額から印刷料金を減算した額）の情報を送信する。これを受信した拡張装置２００の第２制御部２０２は、硬貨処理部２１２及び紙幣処理部２１４を制御して、返金額になる数量の貨幣を、釣銭排出部２４６に排出させる。
【００５６】
領収書を印刷させるには、第１制御部１１２は、拡張装置２００に、領収書の印刷を指示するコマンド、及び印刷するテキストデータを送信する。これを受信した第２制御部２０２の第２制御部２０２は、コマンドにしたがって、第３画像形成部２０８を制御して、受信したテキストデータを所定の記録紙に印刷して、排出させる。
【００５７】
以上により、ユーザは、ステップ３０６で表示された条件（印刷条件及び印刷料金）（図９参照）に満足した場合、条件を変更することなく、デフォルトの印刷条件で印刷されたコピーを得ることができる。ユーザは、ステップ３０６で表示された条件に満足できない場合、キー４２６にタッチする。その場合、上記したように制御はステップ３１０に移行する。
【００５８】
ステップ３１０において、第１制御部１１２は、印刷条件を変更するための画面を表示してユーザの選択を待受け、お奨めモードが選択されたか否かを判定する。例えば、図１１に示す画面４６０が、表示パネル１２２に表示される。画面４６０において、２つのモードの一方を選択するためのキー４６６及びキー４６８が表示され、それらの上にそれぞれのモードの説明が表示されている。領域４６２には、お奨めモードの説明が表示され、領域４６４には、ユーザ要望モードの説明が表示されている。キー４６６がタッチされた場合、第１制御部１１２は、お奨めモードが選択されたと判定する。キー４６８がタッチされた場合、第１制御部１１２は、ユーザ要望モードが選択されたと判定する。お奨めモードが選択されたと判定された場合、制御はステップ３１２に移行する。そうでなければ、制御はステップ３６０に移行する。
【００５９】
ステップ３１２において、第１制御部１１２は、お奨めモードにおいて、予算を入力するか否かを選択する画面を表示して選択を待受ける。予算を入力すると判定された場合、制御はステップ３１４に移行する。予算を入力しないと判定された場合、制御はステップ３３０に移行する。例えば、図１２に示す画面４８０が、表示パネル１２２に表示される。キー４８２がタッチされた場合、第１制御部１１２は予算を入力すると判定する。キー４８４がタッチされた場合、第１制御部１１２は予算を入力しないと判定する。
【００６０】
ステップ３１４において、第１制御部１１２は、予算を入力する画面を表示して、入力を待受ける。例えば、図１３に示す画面５００が、表示パネル１２２に表示される。画面５００において、数値を入力するためのテンキー領域５０２に表示された“０”〜“９”の数値キーがタッチされると、該当する数値が金額表示欄５０４に表示される。入力される予算は、通常、ステップ３０６で表示された合計金額より小さい金額である。
【００６１】
決定キー５０６がタッチされると、第１制御部１１２は、金額表示欄５０４の数値を予算額として確定し、印刷条件の確認及び変更画面（図１４参照）を表示する。第１制御部１１２は、予算額を、予算額であることを表す情報と対応させて、第１記憶部１１４のＲＡＭに記憶する。キャンセルキー５０８がタッチされると、第１制御部１１２は、金額表示欄５０４の数値を破棄し、予算額を確定せずに、印刷条件の確認及び変更画面（図１４参照）を表示する。
【００６２】
ステップ３３０において、第１制御部１１２は、印刷条件確認処置（決定された印刷条件の確認及び変更を可能にする処理）を実行する。具体的には、第１制御部１１２は、図６に示したステップ３３２〜ステップ３５８を実行する。なお、ステップ３１４が実行されずに制御がステップ３３０に移行した場合、又は、ステップ３１４が実行されてもキャンセルキー５０８がタッチされた場合には、ユーザによって予算が入力されていないので、ステップ３０６で表示された合計金額（図９参照）を予算として、以下のステップが実行される。
【００６３】
ステップ３３２において、第１制御部１１２は、確認する事項を選択する画面を表示する。例えば、図１４に示す画面５２０が、表示パネル１２２に表示される。画面５２０の上部には、お奨めモードにおける印刷条件の確認及び変更を行なうための画面であることを表す文字が表示されている。画面５２０には、６つのキー５２２〜５３２が表示されている。キー５２２は、ステップ３１４で決定された予算の範囲内の印刷条件を、表示パネル１２２に表示するためのキーである。キー５２４は、ステップ３１４で決定された予算範囲内ではないが、予算に近い料金になる印刷条件を表示するためのキーである。キー５２６は、印刷を指示する前にユーザが仕上がりイメージを確認できるように、設定されている印刷条件で印刷した場合の印刷結果を再現する画像（プレビュー画像）を、表示パネル１２２に表示するためのキーである。キー５２８は、設定されている印刷条件で印刷した場合の料金を、表示パネル１２２に表示するためのキーである。キー５３０は、印刷を指示するためのキーである。キー５３２は、予算の再入力又はユーザ要望モードを選択するための画面を表示するためのキーである。
【００６４】
ステップ３３４において、第１制御部１１２は、何れかのキーがタッチされたか否かを判定する。タッチされたと判定された場合、制御はステップ３３６に移行する。そうでなければ、ステップ３３４が繰返される。
【００６５】
ステップ３３６において、第１制御部１１２は、ステップ３３４でタッチされたと判定されたキーが、予算範囲内の条件を表示するキー５２２であるか否かを判定する。キー５２２であると判定された場合、制御はステップ３３８に移行する。そうでなければ、制御はステップ３４２に移行する。
【００６６】
ステップ３３８において、第１制御部１１２は、料金が予算額以下になるように、現在の印刷条件のうち変更可能な印刷条件を表示する。例えば、図８に示した原稿をコピーする場合、図１５に示すように、画面５２０の上にサブ画面５４０が表示される。図８の原稿の場合、第２ページ４０６にカラー写真が含まれているので、料金を安くするための印刷条件の１つとして、カラー写真をモノクロで印刷する条件（単価の低減）が、選択肢の上から１番目に表示されている。また、第３ページ４０８には、カラー文字が含まれているので、料金を安くするための印刷条件の１つとして、カラー文字をモノクロで印刷する条件（単価の低減）が、選択肢の上から２番目に表示されている。さらに料金を安くするために、これら両方を含む印刷条件が選択肢の上から３番目に表示されている。また、文字の大きさを小さくすれば印字率が小さくなり、料金が安くなるので、料金を安くするための印刷条件の１つとして、この条件が選択肢の上から４番目に表示されている。なお、料金を安くするための印刷条件は、これら以外の条件であってもよい。表示される原稿の内容に応じて、適宜表示すればよい。
【００６７】
例えば、図８に示した原稿に関して図９の見積額６５円が提示され、ユーザが、ステップ３１４において予算として６０円を入力した場合、ステップ３３８では、上記したように図１５に示したサブ画面５４０が表示される。ユーザが予算として５０円を入力した場合、モノクロ印刷の単価は１０円であるとすると、カラー写真をモノクロで印刷するだけでは料金は予算範囲内にならない。図９から分かるように、カラー写真をモノクロで印刷すると、合計金額は５３円になる。したがって、ステップ３３８で表示されるサブ画面５４０には、「カラー写真をモノクロに変更する。」という選択肢は表示されない。
【００６８】
なお、入力された予算額によっては、適切な印刷条件が存在しない場合がある。その場合には、ステップ３３８において表示されるサブ画面５４０には、印刷条件は表示されない。第１制御部１１２は、該当する印刷条件がない旨のメッセージを表示してもよい。
【００６９】
ステップ３４０において、第１制御部１１２は、表示されたサブ画面５４０において決定キー５０６又は戻るキー５４２がタッチされたか否かを判定する。何れかのキーがタッチされたと判定された場合、制御はステップ３３２に戻る。そうでなければ、制御はステップ３３８に戻る。例えば、図１５のサブ画面５４０において、ユーザが表示された条件の１つにタッチすると、タッチされたのは決定キー５０６及び戻るキー５４２の何れでもないので、第１制御部１１２は、タッチされた選択肢が選択されたと判定し、戻ったステップ３３８において、タッチされた項目を反転表示したサブ画面５４０を表示する。図１５では、１番目の選択肢が選択された状態を示す。１つの条件が選択された状態で、決定キー５０６がタッチされると、その条件を新たな印刷条件として決定（現在の印刷条件に追加、又は、現在の印刷条件と矛盾する場合には置換）し、制御はステップ３３２に戻る。新たな印刷条件は、ＲＡＭの所定領域に記憶される。戻るキー５４２がタッチされると、選択されている条件を破棄して、制御はステップ３３２に戻る。なお、サブ画面５４０に選択肢が表示されていない場合には、決定キー５０６がタッチされても、現在の印刷条件に影響はない。
【００７０】
ステップ３４２において、第１制御部１１２は、ステップ３３４でタッチされたと判定されたキーが、予算範囲近辺の条件を表示するキー５２４であるか否かを判定する。キー５２４であると判定された場合、制御はステップ３４４に移行する。そうでなければ、制御はステップ３４８に移行する。
【００７１】
ステップ３４４において、第１制御部１１２は、料金が、予算額を超えているが、入力された予算額に近い金額になるように、現在の印刷条件から変更可能な印刷条件を表示する。近い金額は、例えば入力された予算の１．１倍等、適宜設定することができる。印刷条件の表示方法は、ステップ３３８に関する説明と同様である。
【００７２】
例えば、ユーザが、ステップ３１４において予算額として５０円を入力した場合、上記したように、モノクロ印刷の単価は１０円であるとすると、カラー写真をモノクロで印刷するだけでは料金は予算範囲内にはならないので、ステップ３３８で表示されるサブ画面５４０には、「カラー写真をモノクロに変更する。」という選択肢は表示されない。この場合、カラー写真をモノクロで印刷すると合計金額は５３円（予算の５０円の１．０６倍）になる（図９参照）ので、ユーザがキー５２４にタッチすると、予算範囲近辺の印刷条件の１つとして「カラー写真をモノクロに変更する。」という選択肢を含むサブ画面が表示される。
【００７３】
ステップ３４６において、第１制御部１１２は、ステップ３４０と同様に、表示されたサブ画面において決定キー又は戻るキーがタッチされたか否かを判定する。決定キーがタッチされると、その条件を印刷条件として決定し（ＲＡＭの所定領域に記憶し）、制御はステップ３３２に戻る。戻るキーがタッチされると、選択されている条件を破棄して、制御はステップ３３２に戻る。
【００７４】
ステップ３４８において、第１制御部１１２は、ステップ３３４でタッチされたと判定されたキーが、プレビュー表示のキー５２６であるか否かを判定する。キー５２６であると判定された場合、制御はステップ３５０に移行する。そうでなければ、制御はステップ３５４に移行する。
【００７５】
ステップ３５０において、第１制御部１１２は、現在の印刷条件で原稿のプレビュー画像を表示する。例えば、図８に示した原稿をコピーする場合、図１６に示すように、画面５２０の上にサブ画面５５０が表示される。図１６のサブ画面５５０には、ユーザが選択した印刷条件「カラー写真をモノクロに変更」が表示され、その下にプレビュー画像（原稿の第２ページ４０６に対応）が表示されている。このプレビュー画像では、カラー写真がモノクロ写真として表示されている（図１６では、右下がりの斜線で示す）。ユーザは、プレビュー画像の右側に表示されているスクロールバーを操作することによって、別のページのプレビュー画像を表示することができる。
【００７６】
ステップ３５２において、第１制御部１１２は、戻るキー５４２がタッチされたか否かを判定する。タッチされたと判定された場合、制御はステップ３３２に戻る。そうでなければ、ステップ３５２が繰返される。
【００７７】
ステップ３５４において、第１制御部１１２は、ステップ３３４でタッチされたと判定されたキーが、金額を表示するキー５２８であるか否かを判定する。キー５２８であると判定された場合、制御はステップ３５６に移行する。そうでなければ、制御は図５のステップ３１６に移行する。
【００７８】
ステップ３５６において、第１制御部１１２は、現在設定されている印刷条件、及びその印刷条件で印刷した場合の料金を表示する。例えば、図８に示した原稿をコピーする場合、図１７に示すように、画面５２０の上にサブ画面５６０が表示される。サブ画面５６０には、ステップ３３８又はステップ３４４において選択され、ステップ３４０又はステップ３４６において決定キー５０６がタッチされて印刷条件として決定された印刷条件「カラー写真をモノクロに変更」が表示されている。即ち、図１７では、原稿の種類の列において、図９の見積画面の「カラー写真」が「モノクロ写真」に変更され、対応する小計額が１５円から３円に変更されている。
【００７９】
ステップ３５８において、第１制御部１１２は、戻るキー５４２がタッチされたか否かを判定する。タッチされたと判定された場合、制御はステップ３３２に戻る。そうでなければ、ステップ３５８が繰返される。
【００８０】
以上、ステップ３３０（ステップ３３２〜ステップ３５８）により、ユーザは、予算額を入力して、適切な印刷料金及び印刷条件を、容易に決定することができる。また、ユーザは、予算額を入力しなくても、見積額を基にして適切な印刷料金及び印刷条件を、容易に決定することができる。
【００８１】
上記したように、ステップ３３４でタッチされたと判定されたキーが、４つのキー５２２〜キー５２８の何れでもなければ、制御はステップ３１６に移行する。ステップ３１６において、第１制御部１１２は、ステップ３３４でタッチされたと判定されたキーが、印刷を指示するキー５３０であるか否かを判定する。キー５３０であると判定された場合、制御はステップ３２０に移行し、上記したように、所定額の金が投入されたことを受けて、印刷が実行される。そうでなければ、即ち、ステップ３３４でタッチされたと判定されたキーがキー５３２であると判定された場合、制御はステップ３１８に移行する。
【００８２】
ステップ３１８において、第１制御部１１２は、お奨めモードで再度予算を入力するかユーザ要望モードを実行するかを選択するための画面を表示して、ユーザの選択を待受ける。何れかのキーがタッチされると、第１制御部１１２は何れのキーがタッチされたかを判定し、制御は、判定結果に応じたステップに移行する。例えば、図１８に示す画面５８０が表示パネル１２２に表示される。画面５８０に表示されているキー４８２及びキー４６８は、画面４８０のキー４８２（図１２参照）及び画面４６０のキー４６８（図１１参照）と同じ表示であり、同じ機能を有する。即ち、キー４８２がタッチされたと判定された場合、制御はステップ３１４に戻る。キー４６８がタッチされたと判定された場合、制御はステップ３６０に移行する。
【００８３】
以下に、ステップ３１０（図１１参照）又はステップ３１８（図１８参照）において、キー４６８がタッチされたと判定された場合に実行されるステップ３６０について説明する。ステップ３６０において、第１制御部１１２は、印刷領域設定処理（指定領域に対する印刷条件の設定を可能にする処理）を実行する。具体的には、第１制御部１１２は、図７に示したステップ３６２〜ステップ３９４を実行する。
【００８４】
ステップ３６２において、第１制御部１１２は、ユーザ要望モードの画面を表示する。例えば、図１９に示す画面６００が、表示パネル１２２に表示される。画面６００の上部にはユーザ要望モードを表す文字が表示されている。画面６００には、キー６０４〜６１４及びキー５４２が表示されている。画面６００の左側の領域６０２には、現在の印刷条件でのプレビュー画像が表示される。複数ページの原稿の場合、ユーザは、領域６０２の右側に表示されたスクロールバーを操作することにより、別ページのプレビュー画像を表示することができる。
【００８５】
ステップ３６４において、第１制御部１１２は、何れかのキーがタッチされたか否かを判定する。タッチされたと判定された場合、制御はステップ３６６に移行する。そうでなければ、ステップ３６４が繰返される。第１制御部１１２は、キーがタッチされずに、領域６０２の右側に表示されたスクロールバーが操作されたことを検知すると、その操作量に応じて、上記したように別ページのプレビュー画像を表示する。
【００８６】
ステップ３６６において、第１制御部１１２は、ステップ３６４でタッチされたと判定されたキーが、印刷領域を設定するキー６０４であるか否かを判定する。キー６０４であると判定された場合、制御はステップ３６８に移行する。そうでなければ、制御はステップ３７２に移行する。
【００８７】
ステップ３６８において、第１制御部１１２は、キー６０４がタッチされたときにプレビュー表示されていた画像において、印刷領域を設定するための画面を表示する。例えば、図１９の画面６００に図８の原稿の第２ページ４０６がプレビュー表示されている状態で、キー６０４がタッチされた場合、図２０に示すような画面６２０が表示される。画面６２０の上部には、ユーザ要望モードにおける印刷領域の設定画面であることを示す文字が表示されている。
【００８８】
ステップ３７０において、第１制御部１１２は、ユーザによる操作を受付け、決定キー５０６又は戻るキー５４２がタッチされたか否かを判定する。決定キー５０６又は戻るキー５４２がタッチされたと判定された場合、制御はステップ３６２に移行する。そうでなければ、制御はステップ３６８に戻る。
【００８９】
第１制御部１１２は、キー６２２がタッチされた場合、ユーザに、タッチパネル１２４によりプレビュー画像上の領域を設定する操作を可能にする。即ち、ユーザ６２６が領域６０２に表示されたプレビュー画像上（実際にはタッチパネル１２４上）を指でタッチし、タッチを維持したままドラッグすると、この操作に応じて、ステップ３６８において第１制御部１１２は、図２０に点線で示すように長方形を描画する。長方形は指のドラッグに応じて変化する。ユーザ６２６がタッチパネル１２４から指を離すと、第１制御部１１２は、長方形で囲まれた範囲内を消去する領域として仮決定する。やり直しキー６２４がタッチされた場合、ステップ３６８において第１制御部１１２は、プレビュー画像上から長方形を消去し、再度ユーザによる消去対象領域の設定を受付ける。
【００９０】
キー６２２がタッチされて領域が指定された後、決定キー５０６がタッチされると、仮決定であった条件を確定（現在の印刷条件を変更）し、制御はステップ３６２に戻る。これは、第１制御部１１２が、その領域を特定する情報（位置情報）を第１記憶部１１４のＲＡＭに記憶することにより行なわれる。戻ったステップ３６２において、変更された印刷条件で、プレビュー画像が表示される。即ち、設定された領域が消去されたプレビュー画像が表示される。戻るキー５４２がタッチされると、仮決定されている条件を破棄して、制御はステップ３６２に戻る。
【００９１】
ステップ３７２において、第１制御部１１２は、ステップ３６４でタッチされたと判定されたキーが、用紙を変更するキー６０６であるか否かを判定する。キー６０６であると判定された場合、制御はステップ３７４に移行する。そうでなければ、制御はステップ３７８に移行する。
【００９２】
ステップ３７４において、第１制御部１１２は、キー６０６がタッチされたときにプレビュー表示されていた画像を印刷する記録紙を変更するための画面を表示する。例えば、図１９の画面６００に図８の原稿の第２ページ４０６がプレビュー表示されている状態で、キー６０６がタッチされた場合、図２１に示すような画面６４０が表示される。画面６４０の上部には、ユーザ要望モードにおける用紙（記録紙）の変更画面であることを示す文字が表示されている。記録紙を変更するためのキーは、領域６４２に表示される。例えば、本体装置１１０が、トレイにＡ３、Ａ４、Ｂ４及びＢ５サイズの記録紙を収容しており、スキャンした原稿がＡ４サイズであれば、領域６４２には、図２１に示した３つのキーが表示される。即ち、現在の印刷条件（記録紙のサイズ）であるＡ４サイズを、Ｂ５サイズ、Ｂ４サイズ、及びＡ３サイズに変更するためのキーが表示されている。スキャンした原稿がＢ５サイズであれば、領域６４２には、Ａ４サイズ、Ｂ４サイズ、及びＡ３サイズに変更することを指定するキーが表示される。
【００９３】
ステップ３７６において、第１制御部１１２は、ユーザによる操作を受付け、決定キー５０６又は戻るキー５４２がタッチされたか否かを判定する。決定キー５０６又は戻るキー５４２がタッチされたと判定された場合、制御はステップ３６２に移行する。そうでなければ、制御はステップ３７４に戻る。
【００９４】
領域６４２に表示されたキーがタッチされた場合、ステップ３７４において第１制御部１１２は、タッチされたキーを反転表示する。図２１は、領域６４２の最上段のキーがタッチされた状態を示す。領域６４２の１つのキーが選択されて反転表示された状態で、決定キー５０６がタッチされると、第１制御部１１２は、該当する記録紙を印刷に使用する記録紙として決定する。これは、第１制御部１１２が、該当する記録紙の種類を特定する情報を第１記憶部１１４のＲＡＭに記憶することにより行なわれる。その後、制御はステップ３６２に戻る。戻ったステップ３６２において、変更された印刷条件で、プレビュー画像が表示される。戻るキー５４２がタッチされると、選択されている条件を破棄して、制御はステップ３６２に戻る。
【００９５】
ステップ３７８において、第１制御部１１２は、ステップ３６４でタッチされたと判定されたキーが、印刷の色（カラー又はモノクロ）を設置するキー６０８であるか否かを判定する。キー６０８であると判定された場合、制御はステップ３８０に移行する。そうでなければ、制御はステップ３８４に移行する。
【００９６】
ステップ３８０において、第１制御部１１２は、キー６０８がタッチされたときにプレビュー表示されていた画像に関して印刷色を設定するための画面を表示する。例えば、図１９の画面６００に図８の原稿の第２ページ４０６がプレビュー表示されている状態で、キー６０８がタッチされた場合、図２２に示すような画面６６０が表示される。画面６６０の上部には、ユーザ要望モードにおける印刷色（カラー及びモノクロ）の設定画面であることを示す文字が表示されている。
【００９７】
ステップ３８２において、第１制御部１１２は、ユーザによる操作を受付け、決定キー５０６又は戻るキー５４２がタッチされたか否かを判定する。決定キー５０６又は戻るキー５４２がタッチされたと判定された場合、制御はステップ３６２に移行する。そうでなければ、制御はステップ３８０に戻る。
【００９８】
キー６６２がタッチされた場合、ステップ３６８における処理と同様に、第１制御部１１２は、ユーザ６２６に、タッチパネル１２４によりプレビュー画像上で、カラー印刷する領域を設定する操作を可能にする。長方形が描画された状態で、ユーザ６２６がタッチパネル１２４から指を離した後、決定キー５０６がタッチされると、第１制御部１１２は、長方形で囲まれた範囲内をカラー印刷する領域として仮決定する。このとき、プレビュー画像に、仮決定された条件を反映してもよい。キー６６４がタッチされた場合、第１制御部１１２は、キー６６２がタッチされた場合と同様に、ユーザ６２６にプレビュー画像上で、モノクロ印刷する領域を設定する操作を可能にする。キー６６２又はキー６６４がタッチされて領域が指定された後、決定キー５０６がタッチされると、仮決定であった条件を確定（現在の印刷条件を変更）し、制御はステップ３６２に戻る。これは、第１制御部１１２が、その領域を特定する情報（位置情報）と印刷色の情報とを対応させて第１記憶部１１４のＲＡＭに記憶することにより行なわれる。戻ったステップ３６２において、変更された印刷条件で、プレビュー画像が表示される。戻るキー５４２がタッチされると、仮決定されている条件を破棄して、制御はステップ３６２に戻る。
【００９９】
ステップ３８４において、第１制御部１１２は、ステップ３６４でタッチされたと判定されたキーが、文字及び画像の大きさを変更するキー６１０であるか否かを判定する。キー６１０であると判定された場合、制御はステップ３８６に移行する。そうでなければ、制御はステップ３９０に移行する。
【０１００】
ステップ３８６において、第１制御部１１２は、キー６１０がタッチされたときにプレビュー表示されていた画像に関して、領域を指定して大きさを設定するための画面を表示する。例えば、図１９の画面６００に図８の原稿の第２ページ４０６がプレビュー表示されている状態で、キー６１０がタッチされた場合、図２３に示すような画面６８０が表示される。画面６８０の上部には、ユーザ要望モードにおける文字及び画像の大きさを変更する設定画面であることを示す文字が表示されている。
【０１０１】
ステップ３８８において、第１制御部１１２は、ユーザによる操作を受付け、決定キー５０６又は戻るキー５４２がタッチされたか否かを判定する。決定キー５０６又は戻るキー５４２がタッチされたと判定された場合、制御はステップ３６２に移行する。そうでなければ、制御はステップ３８６に戻る。
【０１０２】
キー６８２がタッチされると、ステップ３８６において第１制御部１１２は、ユーザにプレビュー画像上で、文字領域を囲む長方形を表示する。長方形領域が、大きさを変更する対象として仮決定される。文字領域と画像領域とは、ステップ３０４で印字率を計算するときに認識済みであるので、その情報を利用して、文字領域を特定することができる。プレビュー画像上に複数の文字領域が存在すれば、キー６８２がタッチされる毎に、ステップ３８６において第１制御部１１２は、表示されている長方形を消去し、別の１つの文字領域を囲む長方形を表示する。キー６８４がタッチされると、ステップ３８６において第１制御部１１２は、ユーザにプレビュー画像上で、画像（写真）領域を囲む長方形を表示する。画像領域の特定には、ステップ３０４で印字率を計算するときに認識済みの結果を利用する。プレビュー画像上に複数の画像領域が存在すれば、キー６８４がタッチされる毎に、ステップ３８６において第１制御部１１２は、表示されている長方形を消去し、別の１つの画像領域を囲む長方形を表示する。
【０１０３】
また、ユーザ６２６は、ステップ３６８における処理と同様に、領域６０２のプレビュー画像上を指でタッチし、タッチを維持したままドラッグして、対象領域を指定することができる。この操作に応じて、ステップ３８６において第１制御部１１２は、図２３に点線で示すように長方形を描画する。長方形の範囲内が大きさを変更する対象として仮決定される。ここでは、キー６８２又はキー６８４をタッチして指定される長方形も含めて、最後に表示された１つの長方形のみが表示され、１つの領域のみが処理の対象として仮決定される。
【０１０４】
長方形が表示された状態（対象領域が仮決定された状態）で、キー６８６がタッチされると、ステップ３８６において第１制御部１１２は、指定された領域の大きさを変更する値を入力するためのサブ画面を表示する。例えば、図２４に示したサブ画面７００が、画面６８０の上に表示される。サブ画面７００が表示されるとき、倍率表示欄７０２には、処理対象として指定された領域に対して現在設定されている倍率（％）が表示される。大きさが変更されていない状態でサブ画面７００が表示されるときには、倍率表示欄７０２には“１００”が表示される。サブ画面７００において、“０”〜“９”の数値キーがタッチされると、該当する数値が倍率表示欄７０２に表示される。図２４は、数値キーがタッチされて“１１０”が入力された状態を示す。“Ｃ”キーがタッチされた場合、倍率表示欄７０２の値がクリアされる。サブ画面７００において、決定キー５０６がタッチされると、倍率表示欄７０２の数値が倍率（％）として仮決定され、サブ画面７００は消去される。戻るキー５４２がタッチされると、入力された数値はキャンセルされて、サブ画面７００が消去される。これにより、画面６８０が再表示されることになるので、決定された倍率で、指定された領域の大きさが変更されたプレビュー画像を表示することが好ましい。
【０１０５】
画面６８０において、決定キー５０６がタッチされると、上記のように指定された領域及び倍率が確定され、制御はステップ３６２に戻る。これは、第１制御部１１２が、その領域を特定する情報（位置情報）と倍率とを対応させて第１記憶部１１４のＲＡＭに記憶することにより行なわれる。戻るキー５４２がタッチされると、仮決定されている条件（領域の指定及び倍率）を破棄して、制御はステップ３６２に戻る。
【０１０６】
ステップ３９０において、第１制御部１１２は、ステップ３６４でタッチされたと判定されたキーが、金額表示キー６１２であるか否かを判定する。キー６１２であると判定された場合、制御はステップ３９２に移行する。そうでなければ、制御は図５のステップ３２６に移行する。
【０１０７】
ステップ３９２において、第１制御部１１２は、キー６１２がタッチされたときの印刷条件を用いて料金を計算して、表示パネル１２２に表示する。例えば、図１７のサブ画面５６０と同様の料金表を含むサブ画面が表示される。ここで、制御部１１２は、ステップ３０４において説明したように、設定された印刷条件を考慮して各ページ及び各領域の印字率を計算し、印字率と単価とを用いて各ページ及び各領域の料金を計算する。表示されたサブ画面は料金を確認するための画面であるので、キーとしては、図１７のサブ画面５６０と同様に戻るキーのみが表示される。
【０１０８】
ステップ３９４において、第１制御部１１２は、戻るキー５４２がタッチされたか否かを判定する。戻るキー５４２がタッチされたと判定された場合、第１制御部１１２はサブ画面を消去し、制御はステップ３６２に移行する。そうでなければ、ステップ３９４が繰返される。
【０１０９】
以上、ステップ３６０（ステップ３６２〜ステップ３９４）により、ユーザはユーザ要望モードにおいて、印刷条件を設定し、設定した印刷条件で印刷した場合の印刷料金を確認することができる。
【０１１０】
上記したように、ステップ３６４でタッチされたと判定されたキーが、５つのキー６０４〜キー６１２の何れでもなければ、制御は図５のステップ３２６に移行する。ステップ３２６において、第１制御部１１２は、ステップ３６４でタッチされたと判定されたキーが、印刷スタートキー６１４であるか否かを判定する。印刷スタートキー６１４であると判定された場合、制御はステップ３２０に移行し、上記したように、所定額の金が投入されたことを受けて、印刷が実行される。そうでなければ、即ち、ステップ３６４でタッチされたと判定されたキーが戻るキー５４２であると判定された場合、制御はステップ３１０に戻る（図１１のモード選択画面４６０が表示される）。
【０１１１】
以上、図５〜図７に示した一連の処理により、ユーザは、コピーを実行する場合に、画像形成装置１００と対話的にコピー条件を決定することができる。即ち、実際にコピーを実行する前に、ユーザは、原稿をスキャンすれば、デフォルトの印刷条件で印刷した場合の料金を確認することができる（図９参照）。表示された料金に満足したユーザは、そのまま印刷を実行させることができる（図１０参照）。
【０１１２】
表示された金額に満足しないユーザは、お奨めモード又はユーザ要望モードにおいて、印刷条件を変更し、変更後の料金を確認することができる（図１１参照）。お奨めモードにおいては、予算を入力し、予算範囲内又は予算を大きく超えない範囲内で、適切な印刷条件を容易に決定することができる（図１３〜図１７参照）。また、ユーザは、ユーザ要望モードにおいて、自由に印刷条件を設定することができる（図１９〜図２４参照）。何れのモードにおいても、ユーザは、設定された印刷条件で印刷した場合の印刷結果（プレビュー画像及び料金）を確認することができる。したがって、ユーザは、容易に適切な印刷条件を決定することができ、料金不足等によりコピーできない不測の事態を回避でき、安心してコピーを実行することができる。
【０１１３】
上記では、印刷領域の設定画面（図２０参照）において、印刷させない領域を指定する場合を説明したが、これに限定されない。例えば、印刷させる領域を指定するようにしてもよい。
【０１１４】
上記では、用紙の変更画面（図２１参照）において、本体装置１１０に収容された記録紙の間で変更する場合を説明したが、これに限定されない。例えば、印画紙写真をコピーする場合、デフォルトの印刷条件が拡張装置２００の第２画像形成部２０６（昇華型プリンタ）で印刷するようになっている場合、拡張装置２００が収容しているＬ判サイズの記録紙から、本体装置１１０が収容している記録紙（Ａ３、Ａ４、Ｂ４、Ｂ５等）に変更できるようにしてもよい。通常、印画紙写真をＬ判サイズの記録紙にコピーする場合、高額となるので、本体装置１１０が収容している記録紙に変更することで、印刷料金を低減することができる。
【０１１５】
変更される印刷条件は、上記した印刷条件に限定されない。例えば、低画質化（解像度を低下させる）及び低濃度化（印刷の濃さを薄くする）等であってもよい。これによって、トナー消費量が減少するので、印刷料金を低減することができる。
【０１１６】
上記では、お奨めモードで印刷条件の確認及び変更を行なう画面として、図１４に示したように、キーのみが表示される画面５２０が表示される場合を説明したがこれに限定されない。図２５に示したように、設定されている印刷条件でのプレビュー表示を含む画面７２０を表示してもよい。領域７２２は、プレビュー画像を表示する領域である。画面７２０は、図１４の画面５２０に表示されているキーと同じ機能のキーが、相互に同じ位置関係で表示されている。金額を表示するキー５２８がタッチされた場合、図２６に示したように、プレビュー表示を維持したまま、金額を表示することが好ましい。そのようにすれば、ユーザは印刷料金、印刷条件及び印刷結果を同時に確認することができる。
【０１１７】
上記では、お奨めモードにおいてサブ画面を表示（図１５〜図１７参照）する場合を説明したが、これに限定されない。お奨めモードにおいても、ユーザ要望モード（図２０〜図２３参照）のように、各設定画面を表示パネル１２２全面に表示してもよい。
【０１１８】
上記では、ユーザ要望モードにおいて各設定画面を表示パネル１２２全面に表示（図２０〜図２３参照）する場合を説明したが、これに限定されない。ユーザ要望モードにおいても、お奨めモード（図１５〜図１７参照）のように、各設定画面をサブ画面として表示してもよい。
【０１１９】
上記した本体装置１１０は、コピー機能、プリンタ機能、及びスキャナ機能等の複数の機能を備えたデジタル複合機であってもよい。
【０１２０】
以上、実施の形態を説明することにより本発明を説明したが、上記した実施の形態は例示であって、本発明は上記した実施の形態に限定されるものではなく、種々変更して実施することができる。
【符号の説明】
【０１２１】
１００    画像形成装置
１１０    本体装置
１１２    第１制御部
１１４    第１記憶部
１１６    原稿読取部
１１８    第１画像形成部
１２０    操作部
１２２    表示パネル
１２４    タッチパネル
１２６    第１通信部
１２８    第１バス
１４０    排紙トレイ
２００    拡張装置
２０２    第２制御部
２０４    第２記憶部
２０６    第２画像形成部
２０８    第３画像形成部
２１０    第２通信部
２１２    硬貨処理部
２１４    紙幣処理部
２１６    第２バス
２４０    写真排出部
２４２    硬貨投入部
２４４    紙幣投入部
２４６    釣銭排出部
【図１】
2013222063.tif 000003
【図２】
2013222063.tif 000004
【図３】
2013222063.tif 000005
【図４】
2013222063.tif 000006
【図５】
2013222063.tif 000007
【図６】
2013222063.tif 000008
【図７】
2013222063.tif 000009
【図８】
2013222063.tif 000010
【図９】
2013222063.tif 000011
【図１０】
2013222063.tif 000012
【図１１】
2013222063.tif 000013
【図１２】
2013222063.tif 000014
【図１３】
2013222063.tif 000015
【図１４】
2013222063.tif 000016
【図１５】
2013222063.tif 000017
【図１６】
2013222063.tif 000018
【図１７】
2013222063.tif 000019
【図１８】
2013222063.tif 000020
【図１９】
2013222063.tif 000021
【図２０】
2013222063.tif 000022
【図２１】
2013222063.tif 000023
【図２２】
2013222063.tif 000024
【図２３】
2013222063.tif 000025
【図２４】
2013222063.tif 000026
【図２５】
2013222063.tif 000027
【図２６】
2013222063.tif 000028